【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
作動モードと非作動モードを有する熱音響装置において、
ハウジングと、
前記ハウジング内に支持され、第１及び第２面を有するサーマルコアであって、前記サーマルコアの第１面を画定する第１熱交換器と、前記サーマルコアの第２面を画定する第２熱交換器とを含んでいるサーマルコアと、
前記サーマルコアの第１面と連通している主チャンバと、
前記サーマルコアの第２面と連通している二次増倍チャンバと、
前記主チャンバ、前記増倍チャンバ、及び前記サーマルコアを、或る圧力で満たしているガス状作動流体の作動体積であって、平衡圧力が、前記熱音響装置が非作動モードにあるときのガス状作動流体の作動体積の圧力と定義されている作動体積と、を備えており、
前記主チャンバは、前記熱音響装置が作動モードにあるときに、前記主チャンバ内の圧力が前記平衡圧力よりも大きいピーク圧力と前記平衡圧力よりも小さい最小圧力との間で振動するように、振動させることのできる第１振動部材を含んでおり、前記主チャンバ内の前記ピーク圧力と前記最小圧力の差の半分として主圧力振幅が定義されており、
前記二次増倍チャンバは、前記熱音響装置が作動モードにあるときに、前記増倍チャンバ内の圧力が前記平衡圧力よりも大きいピーク圧力と前記平衡圧力よりも小さい最小圧力との間で振動するように、振動させることのできる第２振動部材を含んでおり、前記増倍チャンバ内の前記ピーク圧力と前記最小圧力の差の半分として増倍圧力振幅が定義されており、
前記第１及び第２振動部材は、実質的に同一周波数で、且つ前記主チャンバと前記増倍チャンバ内の圧力振動が実質的に互いに同位相となるように振動し、
前記増倍圧力振幅は、前記主圧力振幅よりも大きいことを特徴とする熱音響装置。
【請求項２】
作動モードと非作動モードを有する熱音響装置において、
ハウジングと、
前記ハウジング内に支持され、第１及び第２面を有するサーマルコアであって、前記サーマルコアの第１面を画定する第１熱交換器と、前記サーマルコアの第２面を画定する第２熱交換器とを含んでいるサーマルコアと、
前記サーマルコアの第１面と連通している主チャンバと、
前記サーマルコアの第２面と連通している二次増倍チャンバと、
前記主チャンバ、前記増倍チャンバ、及び前記サーマルコアを、或る圧力で満たしているガス状作動流体の作動体積であって、平衡圧力が、前記熱音響装置が非作動モードにあるときのガス状作動流体の作動体積の圧力と定義されている作動体積と、を備えており、
前記主チャンバは、前記熱音響装置が作動モードにあるときに、前記主チャンバ内の圧力が前記平衡圧力よりも大きいピーク圧力と前記平衡圧力よりも小さい最小圧力との間で振動するように、振動させることのできる第１振動部材を含んでおり、前記主チャンバ内の前記ピーク圧力と前記最小圧力の差の半分として主圧力振幅が定義されており、
前記二次増倍チャンバは、前記熱音響装置が作動モードにあるときに、前記増倍チャンバ内の圧力が前記平衡圧力よりも大きいピーク圧力と前記平衡圧力よりも小さい最小圧力との間で振動するように、振動させることのできる第２振動部材を含んでおり、前記増倍チャンバ内の前記ピーク圧力と前記最小圧力の差の半分として増倍圧力振幅が定義されており、
前記第１及び第２振動部材は、実質的に同一周波数で、且つ概ね同位相となるように振動し、
前記増倍圧力振幅は、前記主圧力振幅よりも大きいことを特徴とする熱音響装置。
【請求項３】
作動モードと非作動モードを有する熱音響装置において、
ハウジングと、
前記ハウジング内に支持され、第１及び第２面を有するサーマルコアであって、前記サーマルコアの第１面を画定する第１熱交換器と、前記サーマルコアの第２面を画定する第２熱交換器を含んでいるサーマルコアと、
前記サーマルコアの第１面と流体連通している主チャンバと、
前記サーマルコアの第２面と流体連通している二次的増倍チャンバと、
前記主チャンバ、前記増倍チャンバ、及び前記サーマルコアを、或る圧力で満たしているガス状作動流体の作動体積であって、平衡圧力が、前記熱音響装置が非作動モードにあるときのガス状作動流体の作動体積の圧力と定義されている作動体積と、を備えており、
前記主チャンバは、前記熱音響装置が作動モードにあるときに、前記主チャンバ内の圧力が前記平衡圧力よりも大きいピーク圧力と前記平衡圧力よりも小さい最小圧力との間で振動するように、振動させることのできる第１振動部材を含んでおり、前記主チャンバ内の前記ピーク圧力と前記最小圧力の差の半分として主圧力振幅が定義されており、
前記二次増倍チャンバは、前記熱音響装置が作動モードにあるときに、前記増倍チャンバ内の圧力が前記平衡圧力よりも大きいピーク圧力と前記平衡圧力よりも小さい最小圧力との間で振動するように、振動させることのできる第２振動部材を含んでおり、前記増倍チャンバ内の前記ピーク圧力と前記最小圧力の差の半分として増倍圧力振幅が定義されており、
前記第１及び第２振動部材は、実質的に同一周波数で、且つ前記主チャンバと前記増倍チャンバ内の圧力振動が実質的に互いに同位相となるように振動し、
前記増倍圧力振幅は、前記主圧力振幅よりも小さいことを特徴とする熱音響装置。
【請求項４】
前記増倍圧力振幅は、前記主圧力振幅よりも少なくとも２％大きいことを特徴とする請求項１乃至３の何れか１項に記載の熱音響装置。
【請求項５】
前記増倍圧力振幅は、前記主圧力振幅よりも少なくとも４％大きいことを特徴とする請求項１乃至３の何れか１項に記載の熱音響装置。
【請求項６】
前記増倍圧力振幅は、前記主圧力振幅よりも少なくとも６％大きいことを特徴とする請求項１乃至３の何れか１項に記載の熱音響装置。
【請求項７】
前記第１振動部材に接続されたモーターを更に備えており、前記モーターは、前記熱音響装置がヒートポンプとして作動するように前記第１振動部材を正弦波状に振動させるように作動可能であることを特徴とする請求項１乃至３の何れか１項に記載の熱音響装置。
【請求項８】
前記第１振動部材に接続された同期発電機を更に備えており、前記熱音響装置は熱駆動機関として作動することを特徴とする請求項１乃至３の何れか１項に記載の熱音響装置。
【請求項９】
前記増倍チャンバは、前記主チャンバ内に配置されていることを特徴とする請求項１乃至３の何れか１項に記載の熱音響装置。
【請求項１０】
前記第１熱交換器は高温熱交換器を備えており、
前記第２熱交換器は、ハウジングの一方の端部を形成している低温ヘッド熱交換器であって、内部熱交換面と熱的に連通している外部熱交換面を有している低温ヘッド熱交換器を備えており、
前記熱音響装置は、更に、
前記低温熱交換器の内部熱交換面に隣接して前記ハウジング内に配置された支持部であって、前記増倍容積と前記低温ヘッド熱交換器の内部熱交換面の間に第１通路を、前記主容積と前記低温ヘッド熱交換器の内部熱交換面の間に第２通路を画定し、これにより前記主容積と前記増倍容積を前記第１及び第２通路を介して流体連通させている支持部と、
前記第１通路内に配置された多孔質蓄熱要素であって、第１面と第２面を有し、前記第１面は前記低温ヘッド熱交換器の内部熱交換面に隣接し、前記高温熱交換器は前記蓄熱要素の第２面に隣接して配置されるように構成された多孔質蓄熱要素と、を備えていることを特徴とする前記請求項９に記載の熱音響装置。
【請求項１１】
前記第１振動部材はピストンを備えており、前記主チャンバは一対の端部とその間に延びる可撓体を有する可撓シールを含んでおり、前記可撓シールの一方の端部は前記ピストンに対してシールされ、他方の端部は前記サーマルコアの第１面に対してシールされていることを特徴とする請求項１又は２に記載の熱音響装置。
【請求項１２】
前記可撓シールはベローズを備えていることを特徴とする請求項１１に記載の熱音響装置。
【請求項１３】
前記主チャンバは周辺側壁を有し、前記振動部材は、周辺縁部が前記側壁と滑動可能に係合するピストンを備えていることを特徴とする請求項１又は２に記載の熱音響装置。
【請求項１４】
前記増倍チャンバは、縁部が前記サーマルコアの第２面から離間した周辺側壁を有しており、前記第２振動部材は、可撓シールで前記縁部と相互接続されたピストンを備えていることを特徴とする請求項１又は２に記載の熱音響装置。
【請求項１５】
前記第２振動部材はピストンを備えており、前記増倍チャンバは一対の端部とその間に延びる可撓体を有する可撓シールを含んでおり、前記可撓シールの一方の端部は前記ピストンに対してシールされ、他方の端部は前記サーマルコアの第２面に対してシールされていることを特徴とする請求項１又は２に記載の熱音響装置。
【請求項１６】
前記第１及び第２振動部材は、それらの変位が同一となるように相互接続されていることを特徴とする請求項１又は２に記載の熱音響装置。
【請求項１７】
前記第１及び第２振動部材は一体に形成されていることを特徴とする請求項１６に記載の熱音響装置。
【請求項１８】
前記ハウジングは圧力容器を備えており、前記主チャンバ及び増倍チャンバは前記圧力容器内に配置され、追加体積分のガス状作動流体が前記圧力容器を満たしていることを特徴とする請求項１又は２に記載の熱音響装置。
【請求項１９】
前記第１熱交換器と第２熱交換器の間に配置された蓄熱要素を更に備えていることを特徴とする請求項１又は２に記載の熱音響装置。
【請求項２０】
前記第１熱交換器は、概ね第１面内に配置され概ね第１方向に整列している複数の概ね平行な熱伝達要素を備えており、前記第２熱交換器は、概ね第２面内に配置され概ね第２方向に整列している複数の概ね平行な熱伝達要素を備えており、前記第２面は前記第１面に対して概ね平行であり、前記第２方向は前記第１方向に対して或る角度を成していることを特徴とする請求項１又は２に記載の熱音響装置。
【請求項２１】
前記第１熱交換器の熱伝達要素はフィンであり、前記第２熱交換器の熱伝達要素は流体で満たされた管であることを特徴とする請求項２０に記載の熱音響装置。
【請求項２２】
前記第１方向と第２方向は概ね直交していることを特徴とする請求項２０に記載の熱音響装置。
【請求項２３】
熱音響装置において、
パワーピストンと、
前記パワーピストンを振動させるように作動することのできるモーターと、
前記パワーピストンから間隔を空けて配置された低温ヘッド熱交換器と、
一対の端部とその間に延びる可撓体を有する可撓シールであって、一方の端部が前記パワーピストンにシール可能に相互接続され、他方の端部が前記低温ヘッドにシール可能に相互接続されており、主容積が前記可撓シール内の前記パワーピストンと前記低温ヘッドの間に画定されている可撓シールと、
前記主容積の内側に配置され、前記低温ヘッドにシール可能に相互接続された第１端と、開口している第２端とを有している増倍チャンバと、
前記増倍チャンバの開口端を閉じるように配置されている増倍ピストンであって、増倍容積が前記増倍チャンバ内の前記増倍ピストンと前記低温ヘッドの間に画定されている増倍ピストンと、を備えており、
前記低温ヘッドは前記主容積と前記増倍容積の間に通路を画定しており、
前記通路内に配置され、第１及び第２側部を有する多孔質蓄熱要素と、
前記蓄熱要素の第１側部に隣接して配置された第１熱交換器と、前記蓄熱要素の第２側部に隣接して配置された第２熱交換器と、を更に備えていることを特徴とする熱音響装置。
【請求項２４】
熱音響装置において、
第１端と第２端を有するハウジングと、
前記ハウジングの前記第１端を画定し、内部熱交換面と熱的に連通している外部熱交換面を有している低温ヘッド熱交換器と、
前記ハウジング内に配置され、中に増倍容積を画定している増倍チャンバであって、前記増倍容積が増減するように可動である増倍振動部材を含んでいる増倍チャンバと、
前記ハウジング内に配置され、前記増倍チャンバを取り囲んでいる主チャンバであって、前記主チャンバは、前記増倍チャンバと前記主チャンバの間に画定された主容積を有しており、主容積が増減するように可動である主振動部材を含んでいる主チャンバと、
前記低温ヘッド熱交換器の内部熱交換面に隣接して前記ハウジング内に配置され、前記増倍容積と前記低温ヘッド熱交換器の内部熱交換面の間に第１通路を、前記主容積と前記低温ヘッド熱交換器の内部熱交換面の間に第２通路を画定し、それにより前記主容積と前記増倍容積を前記第１及び第２通路を介して流体連通させている支持部と、
前記通路の一方に配置されている多孔質蓄熱要素であって、第１面と第２面を有し、前記第１面は前記低温ヘッド熱交換器の前記内部熱交換面に隣接し、前記高温熱交換器は前記蓄熱要素の第２面に隣接して配置されている多孔質蓄熱要素と、を備えていることを特徴とする熱音響装置。
【請求項２５】
熱音響装置において、
第１端と第２端を有するハウジングと、
前記ハウジングの前記第１端を画定し、内部熱交換面と熱的に連通している外部熱交換面を有している低温ヘッド熱交換器と、
前記ハウジング内に配置され、中に増倍容積を画定している増倍チャンバであって、前記増倍容積は、前記増倍容積が増減するように可動である増倍振動部材を含んでいる増倍チャンバと、
前記ハウジング内に配置され、中に主容積を画定している主チャンバであって、前記主容積が増減するように可動である主振動部材を含んでいる主チャンバと、
前記低温ヘッド熱交換器の内部熱交換面に隣接して前記ハウジング内に配置され、前記増倍容積と前記低温ヘッド熱交換器の内部熱交換面の間に第１通路を、前記主容積と前記低温ヘッド熱交換器の内部熱交換面の間に第２通路を画定し、それにより前記主容積と前記増倍容積を前記第１及び第２通路を介して流体連通させている支持部と、
前記通路の一方に配置されている多孔質蓄熱要素であって、第１面と第２面を有し、前記第１面は前記低温ヘッド熱交換器の前記内部熱交換面に隣接し、前記高温熱交換器は前記蓄熱要素の第２面に隣接して配置されている多孔質蓄熱要素と、を備えていることを特徴とする熱音響装置。
【請求項２６】
前記主振動部材に接続されたモーターであって、前記熱音響装置がヒートポンプとして作動するように前記主振動部材を振動させるように作動することのできるモーターを更に備えていることを特徴とする請求項２４又は２５に記載の熱音響装置。
【請求項２７】
前記主振動部材に接続された同期発電機を更に備えており、前記熱音響装置は熱駆動機関として作動することを特徴とする請求項２４又は２５に記載の熱音響装置。
【請求項２８】
前記主振動部材はピストンを備えており、前記主チャンバは一対の端部とその間に延びる可撓体を有する可撓シールを含んでおり、前記可撓シールの一方の端部は前記ピストンに対してシールされ、他方の端部は前記第２通路と流体連通していることを特徴とする請求項２４又は２５に記載の熱音響装置。
【請求項２９】
前記可撓シールはベローズを備えていることを特徴とする請求項２８に記載の熱音響装置。
【請求項３０】
前記主チャンバは周辺側壁を有し、前記主振動部材は周辺縁部が前記側壁と滑動可能に係合するピストンを備えていることを特徴とする請求項２４又は２５に記載の熱音響装置。
【請求項３１】
前記増倍チャンバは、縁部が前記第１通路から間隔を空けて設けられた周辺側壁を有しており、前記増倍振動部材は前記縁部と可撓シールで相互接続されたピストンを備えていることを特徴とする請求項２４又は２５に記載の熱音響装置。
【請求項３２】
前記増倍振動部材はピストンを備えており、前記増倍チャンバは一対の端部とその間に延びる可撓体を有する可撓シールを含んでおり、前記可撓シールの一方の端部は前記ピストンに対してシールされ、他方の端部は前記第１通路と流体連通していることを特徴とする請求項２４又は２５に記載の熱音響装置。
【請求項３３】
前記主振動部材と増倍振動部材は、それらの変位が同一となるように相互接続されていることを特徴とする請求項２４又は２５に記載の熱音響装置。
【請求項３４】
前記主振動部材と増倍振動部材は一体に形成されていることを特徴とする請求項３３に記載の熱音響装置。
【請求項３５】
前記ハウジングは圧力容器を備えており、前記主チャンバ及び増倍チャンバは前記圧力容器内に配置され、追加体積分のガス状作動流体が前記主チャンバ及び増倍チャンバの外側の前記圧力容器部分を満たしていることを特徴とする請求項３３に記載の熱音響装置。
【請求項３６】
前記蓄熱要素は前記第１通路内に配置されていることを特徴とする請求項２４又は２５に記載の熱音響装置。
【請求項３７】
前記内部熱交換面は、前記低温ヘッド熱交換器から垂直に延びるフィンを含んでいることを特徴とする請求項２４又は２５に記載の熱音響装置。
【請求項３８】
前記外部熱交換面は、前記低温ヘッド熱交換器から垂直に延びるフィンを含んでおり、前記内部面上のフィンと前記外部面上のフィンは互いに概ね直交していることを特徴とする請求項３７に記載の熱音響装置。
【請求項３９】
熱音響装置において、
中に作動体積のガス状作動流体が入っているチャンバと、
前記チャンバの一部を形成し、前記チャンバ内の容積が増減するように可動である振動部材と、
前記チャンバ内に配置され、第１熱交換器と第２熱交換器を含んでいるサーマルコアと、を有しており、
改善点として、
前記第１熱交換器は、概ね第１平面内に配置され、概ね第１方向に整列している複数の概ね平行な熱伝達要素を有しており、
前記第２熱交換器は、第２平面内に配置され、概ね第２方向に整列している複数の概ね平行な第２の熱伝達要素を有しており、
前記第２平面は前記第１平面に概ね平行で、前記第２方向は前記第１方向に対して或る角度を成していることを特徴とする型式の熱音響装置。
【請求項４０】
前記第１方向と第２方向は概ね互いに直交していることを特徴とする請求項３９に記載の熱音響装置。
【請求項４１】
前記第１熱交換器の熱伝達要素はフィンであり、前記第２熱交換器の熱伝達要素は流体で満たされた管であることを特徴とする請求項３９に記載の熱音響装置。
【請求項４２】
前記第１熱交換器の熱伝達要素と、前記第２熱交換器の熱伝達要素は、流体で満たされた管であることを特徴とする請求項３９に記載の熱音響装置。
【手続補正２】
【補正対象書類名】明細書
【補正対象項目名】００１９
【補正方法】変更
【補正の内容】
【００１９】
ベローズ・バウンス熱音響装置
トリトンプロジェクトからは、（ｉ）損失が低く信頼性がある動圧可撓シールを提供するためのベローズの開発という点、並びに（ｉｉ）高いレイノルズ数と、共鳴器の異なる断面積を有する部分の間の移行部とにおける、振動的ガス流れに伴う、「マイナーロス」又は「ヘッドロス」として知られる非線形流体力学的損失への理解という点の両方において、重要な教訓を得た。共鳴器損失は完全に無くすことができ、所与の冷却能力に対する熱音響冷却器の寸法は、熱音響核（再生用熱交換器と熱交換器）と位相調整ネットワーク（イナータンスとコンプライアンス）が完全にベローズ内に収納されている場合は、相当低減できることを、発明者らは認識した。更に、ダブル・ヘルムホルツ共鳴器で作り出される圧力振動の共振強化は、ベローズに入っているガスの弾性剛性と、リニアモーター及びそれに取り付けられているピストンの可動質量とを用いて、トリトン並びにより早期の熱音響冷却装置の全てに使用されている純粋に音響的な共鳴器ではなく機械的な共鳴器を作り出すことにより、ネック部を通る高速ガス運動に固有の非線形流体力学的損失を発生させること無く、再現できることを発明者らは認識した。この斬新な共鳴器は発明者らにより「ベローズ・バウンス」コンプレッサと名づけられ、２００２年４月１０日出願の米国仮特許出願第６０／３７２，００８号、並びに２００３年４月９日に「熱音響装置用のコンプライアンスのある密閉箱」という名称で出願された同時係属米国特許出願第１０／４０９，８５５号の主題であり、上記両出願の内容全てを参考文献としてここに援用する。
【手続補正３】
【補正対象書類名】明細書
【補正対象項目名】００２０
【補正方法】変更
【補正の内容】
【００２０】
従来のベローズに対する代替案も開発され、それは、２００２年４月１０日出願の米国仮特許出願第６０／３７１，９６７号、及び２００３年４月９日に「一体型動的ガスシールを備えた筒状ばね」という名称で出願された同時係属米国特許出願第１０／４０９，７６０号の主題であり、上記両出願の内容全てを参考文献としてここに援用する。一体型動的ガスシールを備えた筒状ばねは、容積が等しく高さと直径が小さい従来のベローズに比べて、設計の柔軟性を増し、生産コストを下げ、表面積を大幅に減らすことのできる、典型的なベローズに対する代替案を提供する。
【手続補正４】
【補正対象書類名】明細書
【補正対象項目名】００２２
【補正方法】変更
【補正の内容】
【００２２】
本発明の或る実施形態では、熱音響装置は、ハウジング内に支持され第１及び第２面を有するサーマルコア（thermal core）を備えたハウジングを含んでいる。サーマルコアは、その第１面を画定する第１熱交換器と、その第２面を画定する第２熱交換器を含んでいる。これら２つの熱交換器の間には、再生用熱交換器又は他の多孔質の蓄熱媒体が存在する。主チャンバは、サーマルコアの第１面と流体連通し、二次増倍チャンバはサーマルコアの第２面と流体連通している。ガス状作動流体の作動体積は、或る圧力で、主チャンバ、増倍チャンバ、及びサーマルコアを満たしている。平衡圧は、熱音響装置が非作動モードの状態にあるときのガス状作動流体の作動体積の圧力として定義される。主チャンバは、熱音響装置が作動モードにあるときに、主チャンバの圧力が平衡圧よりも高いピーク圧力と平衡圧よりも低い最小圧力の間で正弦波的に振動するように、振動することのできる第１振動部材を含んでいる。主圧力振幅は、主チャンバのピーク圧力と最小圧力の差の２分の１と定義される。二次増倍チャンバは、熱音響装置が作動モードにあるときに、増倍チャンバの圧力が平衡圧よりも高いピーク圧力と平衡圧よりも低い最小圧力の間で正弦波的に振動するように、振動することのできる第２振動部材を含んでいる。増倍圧力振幅は、増倍チャンバのピーク圧力と最小圧力の差の２分の１と定義される。第１及び第２振動部材は、実質的に同じ周波数で、且つ主チャンバ並びに増倍チャンバの圧力振動が互いに実質的に同位相となるように振動する。増倍圧力振幅は、主圧力振幅よりも大きい。
【手続補正５】
【補正対象書類名】明細書
【補正対象項目名】００４２
【補正方法】変更
【補正の内容】
【００４２】
モーター１２６を基板１２４に剛に接続する代わりに、弾性を有するモーターマウントに置き換えて２自由度系とすることもできる。そうすると、モーター１２６を、モーター可動部分とは逆の位相で動かすことができる。このような装置は、熱音響機関又は冷却装置を収納している構造体の他の部分への振動の伝達を低減することができる。
【手続補正６】
【補正対象書類名】明細書
【補正対象項目名】００４５
【補正方法】変更
【補正の内容】
【００４５】
図４に示す本発明の実施形態は、米国仮特許出願第６０／３７２，００８号、及び２００３念４月９日出願の同時係属特許出願第１０／４０９，８５５号「熱音響装置用のコンプライアンスのある密閉箱」の中で詳しく説明している「コンプライアンスのある密閉箱」を使用している。コンプライアンスのある密閉箱は、主に、密閉箱の側壁を形成しているベローズ１３２で画定されている。低温ヘッド熱交換器１１２と支持体又はプラットフォーム１１８は、協働してコンプライアンスのある密閉箱の上端を画定し、一方ピストン１２８はコンプライアンスのある密閉箱の下端を閉鎖している。
【手続補正７】
【補正対象書類名】明細書
【補正対象項目名】００５０
【補正方法】変更
【補正の内容】
【００５０】
装置１１０は、従来の波形側部筒状ベローズ１３２を備えたものとして示している。或る好適な実施形態では、ベローズは渦巻き形側部を備えた薄い金属である。代わりに、一体型動的シール付の筒状ばねを使用してもよい。一体型動的ガスシール付の筒状ばねの設計は、米国仮特許出願第６０／３７１，９６７号、及び２００３年４月９日出願の同時係属米国特許出願第１０／４０９，７６０号「一体型動的ガスシール付筒状ばね」に開示されており、上記両出願の全内容をここに参考文献として援用する。低損失エラストマーでシールされた金属ばね（援用参考文献の開示で提供される一体型ガスシール付筒状ばねなど）の場合、筒状ばねの表面積は従来の成形金属ベローズよりも３倍から４倍小さく、その結果、図９に示す共鳴器面損失も同様に小さくなる。
【手続補正８】
【補正対象書類名】明細書
【補正対象項目名】００９０
【補正方法】変更
【補正の内容】
【００９０】
ベローズを用いない設計
これまで説明してきた熱音響装置は、全て、米国特許出願第６０／３７２，００８号、並びに同時係属特許出願第１０／４０９，８５５号「熱音響装置用のコンプライアンスのある密閉箱」に記載のコンプライアンスのある密閉箱を利用している。しかしながら、本発明はコンプライアンスのある密閉箱の使用に限定されない。代わりに、クリアランスシール方式を採用してもよい。図１３は、熱音響装置２２０を示している。本装置２２０は、一方の端部にリニアモーター２２４を取り付けた圧力容器２２２を有している。モーターは、圧力容器２２２の側壁の内径に密接嵌合されたピストン２２６と相互接続されている。ピストン２２６の側部と圧力容器２２２の壁の間には半径方向シール２２８が設けられている。当業者には既知のように、半径方向シールには、クリアランスシール、動的Ｏリングなどの方式がある。主容積２３０は、圧力容器２２２の壁の内側でピストン２２６の上方に画定される。増倍容積２３２は、増倍チャンバ２３４の内側で増倍部材又はピストン２３６の上方に画定される。増倍ピストン２３６は、可撓性縁部シールを使って増倍チャンバ２３４の残り部分に対してシールされた状態で示されているが、これには、クリアランスシール、動的リングなどの方式の半径方向シールも使用できる。代わりに、増倍チャンバ２３４は、図１４に示すような、その側壁の一部又は全てを形成する可撓シールを有していてもよい。当業者には自明のように、熱音響装置の設計者は、ここに記載の各種実施形態の何れにおいても、主チャンバと増倍チャンバの容積と圧力を振動させることに対して、可撓シール、縁部シール、半径方向シール、及び他の方式を「うまく組み合わせる」ことを選択することができる。装置２２０は、熱交換器及び冷却装置設計に関連する図４の実施形態と同様の様式で作動する。